(57)【要約】【課題】寿命の長い樹脂製の支持部材を提供すること。【解決手段】ボールジョイント５０は、球面部５８を有する金属製のボールスタッド５４と、このボールスタッド５４の球面部５８を囲うようにしてボールスタッド５４を支持する樹脂製のホルダ５３とからなり、ボールスタッド５４とホルダ５３との間に潤滑剤５６が充填されている。ホルダ５３は、ボールスタッド５４に対向する面に、ダイヤモンドライクカーボン膜５３ａが形成されている。【選択図】図２
2013257012.tif 000002
【特許請求の範囲】
【請求項１】
球面部を有する金属製のボールスタッドと、このボールスタッドの球面部を囲うようにして前記ボールスタッドを支持する樹脂製のホルダとからなり、前記ボールスタッドと前記ホルダとの間に潤滑剤が充填されているボールジョイントにおいて、
前記ホルダは、前記ボールスタッドに対向する面に、ダイヤモンドライクカーボン膜が形成されていることを特徴とするボールジョイント。
【請求項２】
樹脂製のラックブッシュによって金属製のラック軸が支持され、これらのラックブッシュ及びラック軸の間に潤滑剤が充填されているラックアンドピニオン機構において、
前記ラックブッシュの前記ラック軸に対向する面に、ダイヤモンドライクカーボン膜が形成されていることを特徴とするラックアンドピニオン機構。
【請求項３】
表面にダイヤモンドライクカーボン膜が形成されている樹脂製の支持部材と、
この支持部材に支持されていると共に、前記ダイヤモンドライクカーボン膜上を摺動する金属製の摺動部材と、からなることを特徴とする摺動機構。
【発明の詳細な説明】
【技術分野】
【０００１】
本発明は、樹脂製の支持部材と、この支持部材上を摺動する金属製の摺動部材とによって構成される摺動機構に関する。
【背景技術】
【０００２】
樹脂製の支持部材と、この支持部材上を摺動する金属製の摺動部材とによって構成される摺動機構が広く知られている。摺動機構の一例として、ホルダと、このホルダに回転可能に支持されていると共にホルダの表面を摺動するボールスタッドとからなるボールジョイントが挙げられる（例えば、特許文献１（図１）参照。）。
【０００３】
特許文献１に示されるような、ボールジョイントは、球面部を有する金属製のボールスタッドと、このボールスタッドの球面部を支持する樹脂製のホルダとからなる。これらのボールスタッドとホルダとの間には、ボールスタッドを円滑に回転させるためのグリースが充填されている。
【０００４】
このようなボールジョイントにおいて、金属製のボールスタッドは、樹脂製のホルダ内面に接触しながら回転する。即ち、摺動する。通常、金属製のボールスタッドの硬さの方が樹脂製のホルダの硬さに比して硬いため、ホルダが摩耗しやすい。即ち、樹脂製の支持部材の寿命について改善の余地がある。
【先行技術文献】
【特許文献】
【０００５】
【特許文献１】特開２００６−３００２０４号公報
【発明の概要】
【発明が解決しようとする課題】
【０００６】
本発明は、寿命の長い樹脂製の支持部材の提供を課題とする。
【課題を解決するための手段】
【０００７】
請求項１に係る発明は、球面部を有する金属製のボールスタッドと、このボールスタッドの球面部を囲うようにしてボールスタッドを支持する樹脂製のホルダとからなり、ボールスタッドとホルダとの間に潤滑剤が充填されているボールジョイントにおいて、ホルダは、ボールスタッドに対向する面に、ダイヤモンドライクカーボン膜が形成されていることを特徴とする。
【０００８】
請求項２に係る発明は、樹脂製のラックブッシュによって金属製のラック軸が支持され、これらのラックブッシュ及びラック軸の間に潤滑剤が充填されているラックアンドピニオン機構において、ラックブッシュのラック軸に対向する面に、ダイヤモンドライクカーボン膜が形成されていることを特徴とする。
【０００９】
請求項３に係る発明は、表面にダイヤモンドライクカーボン膜が形成されている樹脂製の支持部材と、この支持部材に支持されていると共に、ダイヤモンドライクカーボン膜上を摺動する金属製の摺動部材と、からなることを特徴とする。
【発明の効果】
【００１０】
請求項１に係る発明では、ホルダのボールスタッドに対向する面に、ダイヤモンドライクカーボン膜が形成されている。ダイヤモンドライクカーボン膜が形成されることにより、ボールスタッドは、ダイヤモンドライクカーボン膜に接触し、回転する。即ち、ボールスタッドは、ホルダの樹脂部分に接触しない。ホルダの樹脂部分への接触を防止することにより、ホルダの摩耗を防止し、ホルダの長寿命化を図ることができる。
【００１１】
請求項２に係る発明では、ラックブッシュのラック軸に対向する面に、ダイヤモンドライクカーボン膜が形成されている。ダイヤモンドライクカーボン膜が形成されることにより、ラック軸は、ダイヤモンドライクカーボン膜に接触しながら移動する。即ち、ラック軸は、ラックブッシュの樹脂部分に接触しない。ラックブッシュの樹脂部分への接触を防止することにより、ラックブッシュの摩耗を防止し、ラックブッシュの長寿命化を図ることができる。
【００１２】
請求項３に係る発明では、樹脂製の支持部材の表面に、ダイヤモンドライクカーボン膜が形成されている。ダイヤモンドライクカーボン膜が形成されることにより、摺動部材は、ダイヤモンドライクカーボン膜に接触し、摺動する。即ち、摺動部材は、支持部材の樹脂部分に接触しない。支持部材の樹脂部分への接触を防止することにより、支持部材の摩耗を防止し、支持部材の長寿命化を図ることができる。
【図面の簡単な説明】
【００１３】
【図１】実施例１によるボールジョイント及びラックアンドピニオン機構が搭載されている電動パワーステアリング装置の模式図である。
【図２】図１に示されたボールジョイントの断面図である。
【図３】図２に示されたホルダの斜視図である。
【図４】図１に示されたラックブッシュの断面図である。
【図５】図４の５−５線断面図である。
【図６】トルクの変動を観測するために作成したボールスタッドについて説明する図である。
【図７】トルクの変動を観測するための試験について説明する図である。
【図８】図７で行った試験の結果を説明する図である。
【図９】図７の試験結果について理由を説明する図である。
【図１０】実施例２によるホルダの断面図である。
【図１１】実施例３によるホルダの断面図である。
【図１２】実施例４によるホルダの断面図である。
【発明を実施するための形態】
【００１４】
本発明の実施の形態を添付図に基づいて以下に説明する。
【実施例１】
【００１５】
図１に示されるように、電動パワーステアリング装置１０は、車両のステアリングホイール２１から車両の操舵車輪２９，２９（例えば前輪）に至るステアリング系２０と、このステアリング系２０に補助トルクを加える補助トルク機構４０とからなる。
【００１６】
ステアリング系２０は、ステアリングホイール２１にステアリングシャフト２２及び自在軸継手２３，２３を介してピニオン軸２４を連結し、ピニオン軸２４にラックアンドピニオン機構３０を連結し、ラックアンドピニオン機構３０のラック軸３２（摺動部材３２）の両端にボールジョイント５０，５０、タイロッド２７，２７及びナックル２８，２８を介して左右の操舵車輪２９，２９を連結したものである。
【００１７】
ラックアンドピニオン機構３０は、ピニオン軸２４に形成されたピニオン３１と、ラック軸３２と、このラック軸３２に形成されピニオン３１に噛合うラック３３と、ラック軸３２をガイドすると共に支持しているガイド部材６０とからなる。また、ラック軸３２とガイド部材６０とにより、摺動機構７０が構成される。
【００１８】
ステアリング系２０によれば、運転者がステアリングホイール２１を操舵することで、この操舵トルクによりラックアンドピニオン機構３０を介して、左右の操舵車輪２９，２９を操舵することができる。
【００１９】
補助トルク機構４０は、ステアリングホイール２１に加えたステアリング系２０の操舵トルクを操舵トルクセンサ４１で検出し、この操舵トルクセンサ４１のトルク検出信号に基づき制御部４２で制御信号を発生し、この制御信号に基づき操舵トルクに応じた補助トルクを電動モータ（電動機）４３で発生し、この補助トルクをウォームギヤ機構４４を介してピニオン軸２４に伝達し、さらに、補助トルクをピニオン軸２４からステアリング系２０のラックアンドピニオン機構３０に伝達するようにした機構である。
【００２０】
操舵トルクセンサ４１は、ピニオン軸２４に加えられたトルクを検出し、トルク検出信号として出力するものであり、例えば磁歪式トルクセンサやトーションバー式トルクセンサによって構成される。
【００２１】
電動パワーステアリング装置１０によれば、運転者の操舵トルクに電動モータ４３の補助トルクを加えた複合トルクにより、ラック軸３２で操舵車輪２９，２９を操舵することができる。
図２以降においてボールジョイントの詳細を説明する。
【００２２】
図２に示されるように、ボールジョイント５０（摺動機構５０）は、筒状のケース５１と、このケース５１の一端を塞いでいる蓋部材５２と、これらのケース５１及び蓋部材５２によって囲われているポリアセタール製のホルダ５３（支持部材５３）と、このホルダ５３によって回転可能に支持されている鋼製のボールスタッド５４（摺動部材５４）と、このボールスタッド５４の一部を囲うように配置されているゴム製のブーツ５５と、このブーツ５５及びケース５１内に充填されボールスタッド５４を円滑に回転させるグリース５６（潤滑剤５６）とからなる。
【００２３】
ホルダ５３のうち、ボールスタッド５４に対向する面には、ダイヤモンドライクカーボン膜５３ａ（diamond-like-carbon  以下、「ＤＬＣ膜５３ａ」と記す。）が一体的に形成されている。
【００２４】
ボールスタッド５４は、球面状を呈すると共にホルダ５３のＤＬＣ膜５３ａに接触している球面部５８と、この球面部５８に一体的に取付けられているスタッド部５９とからなる。
【００２５】
ホルダ５３には、ポリアセタールの他、ナイロン、ポリアミド、ポリテトラフルオロエチレン、ポリエーテルエーテルケトン、エラストマーまたはこれらの繊維強化複合材の他、用途に応じて任意の素材を用いることができる。
【００２６】
ボールスタッド５４には、普通鋼および特殊鋼を含む鉄鋼製材の他、非鉄金属等の金属を用いることができる。また、用途に応じて球面部５８とスタッド部５９とで素材を変えることもできる。
非鉄金属としては、アルミニウム、マグネシウム、チタンまたはこれらを主成分とする合金を挙げることができる。
【００２７】
ブーツ５５には、天然ゴムの他、合成ゴムを含む任意のエラストマーを用いることができる。
ＤＬＣ膜５３ａは、プラズマＣＶＤ法によって形成することができる。ＤＬＣ膜５３ａの形成には、ＣＶＤ法の他にＰＶＤ法を採用することもできる。
【００２８】
図３も合わせて参照して、ホルダ５３には、４箇所にスリット５３ｂが形成されている。これらのスリット５３ｂは、ボールスタッド５４の軸ＣＬに沿って形成されている。スリット５３ｂが形成されていることにより、ホルダ５３を撓ませることができる。球面部５８をホルダ５３に向かって押し込むことにより、ホルダ５３を撓ませながら球面部５８が取付けられる。ホルダ５３を撓ませることのできる構成とすることにより、球面部５８の全体を１つのホルダ５３によって覆うことができる。
【００２９】
ＤＬＣ膜５３ａが形成されることにより、金属製のボールスタッド５４は、ＤＬＣ膜５３ａに接触する。即ち、ボールスタッド５４は、ホルダ５３の樹脂部分に接触しない。ホルダ５３の樹脂部分への接触を防止することにより、ホルダ５３の摩耗を防止し、ホルダ５３の長寿命化を図ることができる。
図４以降において、ガイド部材（図１、符号６０）の詳細を説明する。
【００３０】
図４及び図５に示されるように、ガイド部材６０は、金属製のカバー部材６１にポリアセタール製のラックブッシュ６２（支持部材６２）が収納され、このラックブッシュ６２の内周面にＤＬＣ膜６２ａが形成され、ラック軸３２とラックブッシュ６２との間には潤滑剤６３が充填されている。ＤＬＣ膜６２ａは、等間隔に４箇所形成されている。
なお、潤滑剤６３としては、グリースが好ましい。以下、潤滑剤６３を適宜グリース６３という。
【００３１】
ＤＬＣ膜６２ａが形成されることにより、ラック軸３２は、ＤＬＣ膜６２ａに接触しながら移動する。即ち、ラック軸３２は、ラックブッシュ６２の樹脂部分に接触しない。ラックブッシュ６２の樹脂部分への接触を防止することにより、ラックブッシュ６２の摩耗を防止し、ラックブッシュ６２の長寿命化を図ることができる。
【００３２】
図２を合わせて参照して、本発明によれば、樹脂製の支持部材５３，６２の表面に、硬いＤＬＣ膜５３ａ，６２ａを形成することとした。ＤＬＣ膜５３ａ，６２ａの形成によって、支持部材５３，６２が保護される。
このような摺動機構について、トルクの変動を測定した。詳細を図６以降において説明する。
【００３３】
図６（ａ）に示されるような参考例に係るボールスタッド２８４と、図６（ｂ）に示されるような好適例に係るボールスタッド８４とを作成し、トルクの変動を測定した。
より詳細には、図６（ａ）の参考例に係るボールスタッド２８４は、球面部２８８の表面の全体にわたってＤＬＣ膜２８８ａが形成されている。図６（ｂ）に示される好適例に係るボールスタッド８４は、球面部８８の表面に回転方向に沿って２本のＤＬＣ膜８８ａが形成されている。これらのボールスタッド８４，２８４について行った測定について、図７に沿って説明する。
【００３４】
図７に示されるように、好適例に係るボールジョイント８０のケース８１を、板材９５，９６の間に挟んで固定した。なお、板材９５にはボールスタッド８４のスタッド部９８を突出させる穴部が設けられており、この穴部からボールスタッド８４のスタッド部８９を突出させている。
【００３５】
板材９５から突出しているスタッド部８９にトルクレンチ９９を取り付け、トルクレンチ９９を回転させてトルクの変動を測定した。なお、測定は、２５℃の環境温度下、トルクレンチ９９の回転速度を５°／秒とし、２５〜３０秒間回転させた。
参考例に係るボールジョイントについても同様に測定を行った。
図８において測定結果について説明する。
【００３６】
図８に示されるように、参考例（１点鎖線）において、トルクが安定する前の状態、即ち、試験の開始直後にはトルクが直線的に所定の値Ｐ１まで上昇し、所定の値Ｐ１から急激にＰ２まで下降していることが分かった。
【００３７】
一方、好適例（実線）によるボールスタッドのトルクは、試験の開始直後からトルクが直線的に上昇し、所定の値Ｐ３まで達した後、Ｐ４まで僅かに下降した。参考例の場合に比べて、頂点に達した後のトルクの下降量が少ない。好適例によるボールスタッドによれば、ＤＬＣ膜８８ａを球面部８８の一部に形成することにより、よりトルクを安定させることができることが分かった。
このような結果になった理由について、図６及び図９を参照して考察する。
【００３８】
図６（ａ）及び図９（ａ）の参考例に示されるように、球面部２８８の全体にＤＬＣ膜２８８ａが形成されているボールスタッド２５４は、ＤＬＣ膜２８８ａが広範囲に亘ってホルダ２５３に接触している。ＤＬＣ膜２８８ａが広範囲に接触しているため、ボールスタッド２８４とホルダ２８３との間の隙間が狭い。隙間が狭いため、ボールスタッド２８４とホルダ２８３との間に充填されるグリース２８６の量は少ない。グリース２８６の量が少ないため、ボールスタッド２８４を回転させようとした場合に、回転させるまでに大きな力が必要となる。回転させるまでに大きな力が必要であるため、回転する直前のボールスタッド２８４には大きなトルクが加わっているものと考えられる。トルクはボールスタッド２８４の捻れ方向に加わっている力ということもできるから、ボールスタッド２８４が回転を始めた直後に、捻れていたボールスタッド２８４は元に戻ろうとする。ボールスタッド２８４が元に戻ろうとすることにより、トルクが急激に下降するものと考えられる。
【００３９】
一方、図６（ｂ）及び図９（ｂ）の好適例に示されるように、球面部８８の一部にＤＬＣ膜８８ａが形成されているボールスタッド８４は、ＤＬＣ膜８８ａがホルダ８３に接触する面積が小さい。ＤＬＣ膜８８ａの接触面積が小さいため、ボールスタッド８４とホルダ８３との間の隙間が広い。隙間が広いため、ボールスタッド８４とホルダ８３との間に充填されるグリース８６の量が多い。グリース８６の量が多いため、ボールスタッド８４を回転させようとした場合に、回転させるまでに小さな力があれば足りる。即ち、回転する直前においてボールスタッド８４に加わっているトルクが小さいことにより、回転を始めた直後に捻れていたボールスタッド８４が元に戻ろうとする力が小さい。元に戻ろうとする力が小さいことにより、回転し始めた直後のトルクの下降量が少ないものと考えられる。
【００４０】
以上から、本発明者らは、摺動部材と支持部材との間の隙間を大きくすることにより、回転した直後におけるトルクの急激な低下を防止すると共に、ＤＬＣ膜を用いることにより、回転中のトルクを安定させることができることを知見した。
この知見に基づき、以下のこともいえる。
【００４１】
図４及び図５に戻り、ＤＬＣ膜６２ａは、ラックブッシュ６２の表面の一部に形成されている。ラック軸３２を移動させる際には、ラック軸３２が動くまでの間にラック軸３２に大きな負荷が加わる。ＤＬＣ膜６２ａが形成されない部位において、ＤＬＣ膜６２ａの厚さの分、ＤＬＣ膜６２ａとラック軸３２との間に隙間が生じる。この隙間にはグリース６３が充填されている。即ち、隙間があることによって、ＤＬＣ膜６２ａとラックブッシュとの間には、多量のグリース６３が供給されている。多量のグリース６３が供給されることにより、ラック軸３２が移動しやすくなる。ラック軸３２を移動しやすくすることにより、ラック軸３２を移動させ始めた際に加わる負荷を抑制できる。
本発明の別実施例について、図１０以降において説明する。
【実施例２】
【００４２】
次に、本発明の実施例２を図面に基づいて説明する。
図１０は実施例２のボールジョイントの断面構成を示し、上記図２に対応させて表している。
図１０に示されるように、ボールジョイント１１０（摺動機構１１０）は、ホルダ１１３（支持部材１１３）の内周面に帯状のＤＬＣ膜１１３ａが２本形成されてなる。ＤＬＣ膜１１３ａは、ボールスタッド５４の回転方向に沿って形成されている。
ホルダ１１３の内周面の一部にマスクを被せて処理することにより、内周面の一部に対して任意の形状にＤＬＣ膜１１３ａを形成することができる。
【００４３】
このような構成のホルダ１１３を用いた場合においても、本発明所定の効果を得ることができる。即ち、ＤＬＣ膜１１３ａが形成されることにより、ボールスタッド５４は、ＤＬＣ膜１１３ａに接触し、回転する。即ち、ボールスタッド５４は、ホルダ１１３の樹脂部分に接触しない。ホルダ１１３の樹脂部分への接触を防止することにより、ホルダ１１３の摩耗を防止し、ホルダ１１３の長寿命化を図ることができる。
【００４４】
さらに、ＤＬＣ膜１１３ａは、ホルダ１１３の表面の一部に形成されている。ボールスタッド５４を回転させる際には、力を加えた直後に大きなトルクが加わりやすい。本発明においては、ＤＬＣ膜１１３ａが形成されない部位において、ＤＬＣ膜１１３ａの厚さの分、ＤＬＣ膜１１３ａとホルダ１１３との間に隙間が生じる。この隙間にはグリース（図２、符号５６）が充填されている。即ち、隙間があることによって、ＤＬＣ膜１１３ａとボールスタッド５４との間には、多量のグリースが充填されている。多量のグリースが充填されることにより、ボールスタッド５４が回転しやすくなる。ボールスタッド５４を回転しやすくすることにより、ボールスタッド５４を回転させ始めた際のトルクの急激な変化を抑制できる。
【実施例３】
【００４５】
次に、本発明の実施例３を図面に基づいて説明する。
図１１は実施例３のボールジョイントの断面構成を示し、上記図２に対応させて表している。
図１１に示されるように、ボールジョイント１２０（摺動機構１２０）は、ホルダ１２３（支持部材１２３）の内周面に複数の水玉状のＤＬＣ膜１２３ａが形成されてなる。
【００４６】
このような構成のホルダ１２３を用いた場合においても、本発明所定の効果を得ることができる。即ち、ＤＬＣ膜１２３ａが形成されることにより、ボールスタッド５４は、ＤＬＣ膜１２３ａに接触し、回転する。即ち、ボールスタッド５４は、ホルダ１２３の樹脂部分に接触しない。ホルダ１２３の樹脂部分への接触を防止することにより、ホルダ１２３の摩耗を防止し、ホルダ１２３の長寿命化を図ることができる。
【００４７】
さらに、ＤＬＣ膜１２３ａは、ホルダ１２３の表面の一部に形成されている。ボールスタッド５４を回転させる際には、力を加えた直後に大きなトルクが加わりやすい。本発明においては、ＤＬＣ膜１２３ａが形成されない部位において、ＤＬＣ膜１２３ａの厚さの分、ＤＬＣ膜１２３ａとホルダ１２３との間に隙間が生じる。この隙間にはグリース（図２、符号５６）が充填されている。即ち、隙間があることによって、ＤＬＣ膜１２３ａとボールスタッド５４との間には、多量のグリースが充填されている。多量のグリースが充填されることにより、ボールスタッド５４が回転しやすくなる。ボールスタッド５４を回転しやすくすることにより、ボールスタッド５４を回転させ始めた際のトルクの急激な変化を抑制できる。
【実施例４】
【００４８】
次に、本発明の実施例４を図面に基づいて説明する。
図１２は実施例４のボールジョイントの断面構成を示し、上記図２に対応させて表している。
図１２に示されるように、ボールジョイント１３０（摺動機構１３０）は、ホルダ１３３（支持部材１３３）の内周面に、ボールスタッドの軸に向かって突出する突起部１３３ｂが２本形成されている。このようなホルダ１３３の内周面の全体にＤＬＣ膜１３３ａが形成されている。
【００４９】
このような構成のホルダ１３３を用いた場合においても、本発明所定の効果を得ることができる。即ち、ＤＬＣ膜１３３ａが形成されることにより、ボールスタッド５４は、ＤＬＣ膜１３３ａに接触し、回転する。即ち、ボールスタッド５４は、ホルダ１３３の樹脂部分に接触しない。ホルダ１３３の樹脂部分への接触を防止することにより、ホルダ１３３の摩耗を防止し、ホルダ１３３の長寿命化を図ることができる。
【００５０】
さらに、ホルダ１３３には突起部１３３ｂが形成され、このようなホルダ１３３の内周面にＤＬＣ膜１３３ａが形成されている。ボールスタッド５４を回転させる際には、力を加えた直後に大きなトルクが加わりやすい。本発明においては、突起部１３３ｂが形成されない部位において、突起部１３３ｂの高さの分、突起部１３３ｂが形成されていない部位におけるＤＬＣ膜１３３ａとホルダ１３３との間に隙間が生じる。この隙間にはグリース（図２、符号５６）が充填されている。即ち、隙間があることによって、ＤＬＣ膜１３３ａとボールスタッド５４との間には、多量のグリースが充填されている。多量のグリースが充填されることにより、ボールスタッド５４が回転しやすくなる。ボールスタッド５４を回転しやすくすることにより、ボールスタッド５４を回転させ始めた際のトルクの急激な変化を抑制できる。
【００５１】
また、ホルダ１３３の表面に突起部１３３ｂを形成した場合には、ホルダ１３３の内周面の全体にＤＬＣ膜１３３ａを形成してもよい。即ち、ＤＬＣ膜１３３ａの形成を行う際にホルダ１３３の内周面にマスクを被せる必要がない。
【００５２】
なお、図４に示されたラックアンドピニオン機構においても、ラックブッシュの一部にラック軸に向かって突出する突起部を形成することができる。この場合、図１２に示されたボールジョイント１３０と同様の効果を得ることができる。
【００５３】
尚、本発明に係るボールジョイントは、電動パワーステアリング装置に搭載する例を基に説明したが、他の装置にも適用可能であり、電動パワーステアリング装置に搭載するものに限られない。
【産業上の利用可能性】
【００５４】
本発明のボールジョイント、ラックアンドピニオン機構及び摺動機構は、電動パワーステアリング装置に搭載するのに好適である。
【符号の説明】
【００５５】
３０…ラックアンドピニオン機構、３２…ラック軸（摺動部材）、５０，１１０，１２０…ボールジョイント（摺動機構）、５３，１１３，１２３…ホルダ（支持部材）、５３ａ，１１３ａ，１２３ａ…ダイヤモンドライクカーボン膜（ＤＬＣ膜）、５４…ボールスタッド、５６…グリース（潤滑剤）、５８…球面部、６２…ラックブッシュ（支持部材）、６２ａ…ダイヤモンドライクカーボン膜（ＤＬＣ膜）、６３…グリース（潤滑剤）、７０…摺動機構。
【図１】
2013257012.tif 000003
【図２】
2013257012.tif 000004
【図３】
2013257012.tif 000005
【図４】
2013257012.tif 000006
【図５】
2013257012.tif 000007
【図６】
2013257012.tif 000008
【図７】
2013257012.tif 000009
【図８】
2013257012.tif 000010
【図９】
2013257012.tif 000011
【図１０】
2013257012.tif 000012
【図１１】
2013257012.tif 000013
【図１２】
2013257012.tif 000014